(57)【要約】【課題】組み立てが容易であり、解体しやすい包装箱を提供する。【解決手段】包装箱１は、矩形平板状の下面部２と、背面部３と、下面部２と対向する矩形平面状の上面部４と、下面部２および上面部４の側面側開口を塞ぐ一対の内側フラップ５，５と、内側フラップ５，５に重なり合う一対の外側フラップ６，６と、内側フラップ５，５に形成された切り込み１３，１３および切り欠き１４により切り欠き１４の両側に設けられた弾性変形可能な係止片８，８と、外側フラップ６，６が内側フラップ５，５に重なり合うときに内側フラップ５，５の内側に挿入されて、基端部の端面が内側フラップ５，５の切り込み１３，１３に係止する抜け防止用挿入片９，９と、下面部２および上面部４の前面側開口を塞ぐ前面部７とを具備している。【選択図】図１
2009220842.tif 000002
【特許請求の範囲】
【請求項１】
矩形平板状の下面部と；
この下面部の一方の端部に延設され、下面部との境界線で下面部とほぼ直交するように折り返された背面部と；
この背面部の下面部との境界線の反対側の端部に延設され、背面部との境界線で背面部とほぼ直交するように下面部側へ折り返され、下面部と対向する矩形平板状の上面部と；
下面部の一方の端部に隣接する一対の側端部にそれぞれ延設され、下面部との境界線で下面部とほぼ直交するように上面部側に折り返され、それぞれ下面部および上面部の側面側開口を塞ぐ一対の内側フラップと；
上面部の背面部との境界線に隣接する一対の側端部にそれぞれ延設され、上面部との境界線で上面部とほぼ直交するように下面部側に折り返され、内側フラップに重なり合う一対の外側フラップと；
同一直線上で内側フラップと下面部との境界線に対して平行となるように内側フラップに形成された一対の切り込みと、この一対の切り込みに連続するように一対の切り込みの間から下面部との境界線の反対側の端部に設けられた切り欠きとによって形成され、切り欠きの両側に設けられた弾性変形可能な係止片と；
同一直線上で非連通して外側フラップと上面部との境界線に対して平行となるように外側フラップに形成された一対の第１の切り溝と、外側フラップと上面部との境界線の反対側の端部からそれぞれ第１の切り溝に直交する方向で第１の切り溝まで形成されかつ内側フラップの係止片と重なる位置にそれぞれ形成された一対の第２の切り溝とにより、外側フラップと上面部との境界線の反対側の端部が先端となり第１の切り溝側が基端となって形成され、外側フラップが内側フラップに重なり合うときに外側フラップの内面側に折り曲げられ、内側フラップが外側フラップの内側に位置され、第１の切り溝により形成された基端側の端面が内側フラップの内面側から内側フラップの一対の切り込みに係止する抜け防止用挿入片と；
下面部の一方の端部と反対側の端部または上面部の背面部との境界線と反対側の端部の少なくともいずれかに延設され、下面部との境界線または上面部との境界線で折り返されて下面部および上面部の前面側開口を塞ぐ前面部と；
を具備していることを特徴とする包装箱。
【請求項２】
内側フラップの切り込み、切り欠きの底辺および係止片の内側フラップの端部のそれぞれの縁部の内面側に段差が形成されて当該縁部の板厚が他の部位よりも小さく形成され、外側フラップの第１および第２の切り溝のそれぞれの縁部の内面側に段差が形成されて当該縁部の板厚が他の部位よりも小さく形成されていることを特徴とする請求項1記載の包装箱。
【請求項３】
抜け防止用挿入片は、下面部および上面部の内部に収容された収容物により内側フラップ側に押圧されていることを特徴とする請求項１または２記載の包装箱。
【発明の詳細な説明】
【技術分野】
【０００１】
本発明は、環形蛍光ランプなどの収容物を収容する包装箱に関する。
【背景技術】
【０００２】
従来、環形蛍光ランプ用の容器としては、シート(板紙、段ボール等)などから形成された包装箱が用いられている。この包装箱は、一枚のシートなどを所定の形状に打ち抜き、折目を設けて折り曲げることにより形成されている。例えば、折目を介して上面部、後蓋部、下面部、前蓋部、差込片部を連設し、上面部の左右には上糊代片部およびフラップ部を、後蓋部の左右には後糊代片部を、下面部の左右には側面部を連設し、両上糊代片部の前には折目を介して折込片部を、両フラップ部の前には折目を介して両衝立片部を連設してなる包装箱が提案されている(特許文献１参照。)。この従来技術の包装箱は、両フラップ部を仕切板とし、同形の２本の環形蛍光ランプを把持するものであり、それぞれ糊等を用いて、後左糊代片部と上左糊代片部を左側面部の内側に貼着し、後右糊代片部と上右糊代片部を右側面部の内側に貼着して組み立てるものである。
【０００３】
また、環状ランプを載置する平面を構成する基部における一対の端部から外側へ向かって延びる副板が基部との境界線により基部側に折り返された状態において構成される保持機構により、基部の上方から載置される環状ランプを保持する環状ランプ用包装箱が提案されている(特許文献２参照。)。この従来技術の環状ランプ用包装箱は、１つの材料を用いてほぼ組み立てにより形成され、保持機構が基部に収まる最大径の環状ランプを保持する第１の保持機構と、小径の環状ランプを保持する第２の保持機構からなり、環径の異なる複数の環状ランプを梱包することが可能である。
【特許文献１】実用新案登録第３１２７４５７号公報（第３頁、第１図）
【特許文献２】特開２００７−１６８８９１号公報（第３−５頁、第１図）
【発明の開示】
【発明が解決しようとする課題】
【０００４】
特許文献１の包装箱は、それぞれ糊等により、後左糊代片部と上左糊代片部が左側面部の内側に固着され、後右糊代片部と上右糊代片部が右側面部の内側に固着されるので、使用後に包装箱を解体しにくいという欠点を有する。また、包装箱の組み立てにおいて、糊等による貼着(固着)は、組立て作業時間を要するという欠点を有する。
【０００５】
また、特許文献２の環状ランプ用包装箱は、副板に第１および第２の保持機構が形成されるなど、組み立てが複雑であり時間を要し、包装材料が多くなってコストが高くなるという欠点を有する。
本発明は、組み立てが容易であり、解体しやすい包装箱を提供することを目的とする。
【課題を解決するための手段】
【０００６】
請求項１に記載の包装箱の発明は、矩形平板状の下面部と；この下面部の一方の端部に延設され、下面部との境界線で下面部とほぼ直交するように折り返された背面部と；この背面部の下面部との境界線の反対側の端部に延設され、背面部との境界線で背面部とほぼ直交するように下面部側へ折り返され、下面部と対向する矩形平板状の上面部と；下面部の一方の端部に隣接する一対の側端部にそれぞれ延設され、下面部との境界線で下面部とほぼ直交するように上面部側に折り返され、それぞれ下面部および上面部の側面側開口を塞ぐ一対の内側フラップと；上面部の背面部との境界線に隣接する一対の側端部にそれぞれ延設され、上面部との境界線で上面部とほぼ直交するように下面部側に折り返され、内側フラップに重なり合う一対の外側フラップと；同一直線上で内側フラップと下面部との境界線に対して平行となるように内側フラップに形成された一対の切り込みと、この一対の切り込みに連続するように一対の切り込みの間から下面部との境界線の反対側の端部に設けられた切り欠きとによって形成され、切り欠きの両側に設けられた弾性変形可能な係止片と；同一直線上で非連通して外側フラップと上面部との境界線に対して平行となるように外側フラップに形成された一対の第１の切り溝と、外側フラップと上面部との境界線の反対側の端部からそれぞれ第１の切り溝に直交する方向で第１の切り溝まで形成されかつ内側フラップの係止片と重なる位置にそれぞれ形成された一対の第２の切り溝とにより、外側フラップと上面部との境界線の反対側の端部が先端となり第１の切り溝側が基端となって形成され、外側フラップが内側フラップに重なり合うときに外側フラップの内面側に折り曲げられ、内側フラップが外側フラップの内側に位置され、第１の切り溝により形成された基端側の端面が内側フラップの内面側から内側フラップの一対の切り込みに係止する抜け防止用挿入片と；下面部の一方の端部と反対側の端部または上面部の背面部との境界線と反対側の端部の少なくともいずれかに延設され、下面部との境界線または上面部との境界線で折り返されて下面部および上面部の前面側開口を塞ぐ前面部と；を具備していることを特徴とする。
本発明および以下の各発明において、特に言及しない限り、各構成は以下による。
【０００７】
下面部、上面部、背面部、前面部、内側フラップおよび外側フラップは、重力の作用方向に対して下面部を下側にして包装箱を設置したときの相対的な位置関係を便宜的に表現したものであり、組立て作業等の方向を意味するものではない。例えば、包装箱は、重力の作用方向に対して背面部を下側にして設置することができる。この場合、背面部は下面部などに、前面部は上面部などに、下面部は正面部または前面部などに、上面部は裏面部または背面部などに言い表されるが、これは単なる表現が変更されたものに過ぎず、本願発明に包含されるものである。
【０００８】
一対の内側フラップの少なくとも一方に抜け防止用挿入片を設け、対応する外側フラップに係止片を設けるようにしてもよい。この場合、抜け防止用挿入片を設けた内側フラップが外側フラップの外側となり、内側フラップの端面が上面部の外面側に露出するので、外観上好ましくない。上面部は、商品のデザインが施されるものである。
内側フラップの一対の切り込みの間隙は、内側フラップの板厚以下であり、好ましくは内側フラップの板厚の１／２以下である。
【０００９】
抜け防止用挿入片を内側フラップの内側に位置させるには、抜け防止用挿入片の先端を内側フラップの一対の切り込みに挿入し、さらに挿入しながら外側フラップを内側フラップに重ね合わせるようにしてもよく、抜け防止用挿入片を外側フラップの内側に折り曲げ、内側フラップの係止片を直接的に外側フラップの第１の切り溝に挿入するようにして外側フラップを内側フラップに重ね合わせるようにしてもよい。いずれにおいても、抜け防止用挿入片の基端側の端面が内側フラップの一対の切り込みに略位置する。
【００１０】
本発明によれば、組み立てられた包装箱において、下面部および上面部が拡開しようとすると、内側フラップおよび外側フラップがそれぞれ反対方向に移動しようとする。このとき、抜け防止用挿入片の基端側の端面が内側フラップの内側から内側フラップの一対の切り込みに係止する。当該端面の厚さは、外側フラップの板厚であり、当該切り込みの間隙は、当該端面の厚さよりも小さいので、抜け防止用挿入片は、当該切り込みを抜けにくく、当該切り込みに係止される。これにより、内側フラップおよび外側フラップの反対方向への移動が規制され、下面部および上面部が拡開しなくなる。
【００１１】
そして、外側フラップの抜け防止用挿入片が設けられた周辺部を外面側から外側フラップの内側方向に押圧すると、抜け防止用挿入片は、内側フラップから離れるように移動し、係止片から離れる。この状態で、係止片を外側フラップの第１の切り溝から抜くように内側フラップおよび外側フラップの少なくとも一方を移動させると、係止片が抜け防止用挿入片と干渉しなく、下面部および上面部が拡開する。これにより、包装箱は、解体される。
【００１２】
請求項２に記載の包装箱の発明は、請求項1記載の包装箱において、内側フラップの切り込み、切り欠きの底辺および係止片の内側フラップの端部のそれぞれの縁部の内面側に段差が形成されて当該縁部の板厚が他の部位よりも小さく形成され、外側フラップの第１および第２の切り溝のそれぞれの縁部の内面側に段差が形成されて当該縁部の板厚が他の部位よりも小さく形成されていることを特徴とする。
段差は、例えば機械による潰しや切削などにより形成することができる。
【００１３】
本発明によれば、内側フラップの切り込みおよび切り欠きの底辺のそれぞれの縁部の内面側に段差が形成されることにより、当該段差の部位の板厚が小さくなるので、係止片の内側フラップの内側への僅かな変位により切り込みの間隙が大きくなり、抜け防止用挿入片を切り込みに挿入しやすくなる。また、外側フラップの第１ないし第２の切り溝のそれぞれの縁部の内面側に段差が形成されることにより、当該段差の部位の板厚が小さくなって係止片が挿入される隙間が大きくなり、係止片の内側フラップの端部の縁部の内面側に段差が形成されることにより、当該段差の部位の板厚が小さくなって前記隙間に挿入される体積が小さくなるので、係止片を第１の切り溝に挿入しやすくなる。
【００１４】
請求項３に記載の包装箱の発明は、請求項１または２記載の包装箱において、抜け防止用挿入片は、下面部および上面部の内部に収容された収容物により内側フラップ側に押圧されていることを特徴とする。
【００１５】
本発明によれば、抜け防止用挿入片が外側フラップを内側フラップ側に引っ張るように作用するので、内側フラップと外側フラップが接触するように重なり合う。
【発明の効果】
【００１６】
請求項１の発明によれば、外側フラップの抜け防止用挿入片を上面側に折り曲げて、内側フラップの係止片を外側フラップの第１の切り溝に挿入することによって包装箱が組み立てられ、外側フラップを押圧して抜け防止用挿入片を係止片から離して、係止片を第１の切り溝から引き抜くように内側フラップおよび外側フラップの少なくとも一方を移動させることによって包装箱が解体されるので、組み立ておよび解体が容易であって、使用する包装材料の少ない低コストの包装箱を提供することができる。
【００１７】
請求項２の発明によれば、内側フラップの内面側において、切り込み、切り欠きの底辺および係止片の内側フラップの端部のそれぞれの縁部の内面側に段差が形成され、外側フラップの内面側において、第１ないし第２の切り溝のそれぞれの縁部の内面側に段差が形成されていることにより、外側フラップの抜け防止用挿入片を内側フラップの切り込みに挿入しやくなり、内側フラップの係止片を外側フラップの第１の切り溝に挿入しやすくなるので、包装箱の組み立てを容易にかつ迅速に行うことができるとともに、段差の部位が内側フラップおよび外側フラップのそれぞれ内面側であるので、包装箱の外観性が損なわれることを防止することができる。
【００１８】
請求項３の発明によれば、抜け防止用挿入片は、収容物により内側フラップ側に押圧されて抜けにくくなるので、収容物が収容されているときに包装箱が解体することを防止することができる。
【発明を実施するための最良の形態】
【００１９】
以下、本発明の一実施の形態について、図面を参照して説明する。
【００２０】
図１ないし図６は、本発明の一実施の形態を示し、図１は包装箱の展開した状態の内面側の平面図、図２は抜け防止用挿入片が挿入される状態を示す包装箱の一部概略斜視図、図３は係止片が挿入される状態を示す包装箱の一部概略斜視図、図４は内側フラップが外側フラップに位置された状態を示し、（ａ）は一部概略側面図、（ｂ）は（ａ）のＸ−Ｘ方向の概略断面図、図５は図１のＹ−Ｙ方向の一部概略断面図、図６は収容物が挿入された状態の概略断面図である。
【００２１】
包装箱１は、例えば環形蛍光ランプを収容するものであり、図１に示すように、それぞれ平面である下面部２、背面部３、上面部４、内側フラップ５，５、外側フラップ６，６、前面部７、係止片８，８、抜け防止用挿入片９、前面フラップ１０、耳部１１，１２を有してなり、１枚の段ボール紙により形成されている。
【００２２】
包装箱１は、略正方体に組み立てられ、背面部３、内側フラップ５，５および前面フラップ１０が底面部２に対して底面部２の内面２ａ側にほぼ直交するように折り返され、外側フラップ６，６が上面部４に対して上面部４の内面４ａ側にほぼ直交するように折り返され、耳部１１，１２が外側フラップ６に対して外側フラップ６の内面６ａ側にほぼ直交するように折り返され、上面部４が下面部２に対向するように背面部３に対してほぼ直交するように折り返され、前面フラップ１０が前面部７に対して前面部７の内面７ａ側に折り返されている。そして、抜け防止用挿入片９が外側フラップ６の内面６ａ側に折り曲げられて、係止片８，８に係止されるものである。
【００２３】
下面部２は、矩形平板状である正方形状に形成されている。正方形の一辺の寸法は、収容される環状ランプの最大環径よりも幾分大きくしている。背面部３は、下面部２の一方の端部２ｂに延設され、長方形に形成されている。この長方形の短寸法は、環状ランプの管径よりも幾分大きくしている。下面部２の一方の端部２ｂは、背面部３の一方の端部３ａでもあり、かつ背面部３と下面部２との境界線になっている。背面部３は、当該境界線で下面部２の内面２ａ側に折り返され、下面部２とほぼ直交している。
【００２４】
上面部４は、背面部３の一方の端部３ａ(下面部２との境界線)と反対側の他方の端部３ｂに延設され、矩形平板状である正方形状に形成されている。この正方形の一辺の寸法は、下面部２の正方形の一辺の寸法より幾分、例えば段ボール紙の板厚分大きくしている。背面部３の他方の端部３ｂは、上面部４の一方の端部４ｂでもあり、かつ上面部４と背面部３との境界線になっている。上面部４は、当該境界線で背面部３とほぼ直交するように下面部２の内面２ａ側に折り返され、下面部２と対向している。
【００２５】
内側フラップ５，５は、下面部２の一方の端部２ｂに隣接する一対の側端部２ｃ，２ｃにそれぞれ延設され、略長方形に形成されている。略長方形の短寸法は、背面部３の短寸法より幾分小さくし、略長方形の長寸法は、下面部２の一辺の寸法よりも幾分小さくしている。下面部２の側端部２ｃは、内側フラップ５の内側端部５ａでもあり、かつ内側フラップ５と下面部２との境界線になっている。内側フラップ５は、当該境界線で下面部２とほぼ直交するように上面部４側に折り返され、内側端部５ａ（内側フラップ５と下面部２との境界線）の反対側の外側端部５ｂが上面部４の内面４ａに近接し、下面部２および上面部４の側面側開口を塞ぐものである。
【００２６】
外側フラップ６，６は、上面部４の一方の端部４ｂ（背面部３との境界線）に隣接する一対の側端部４ｃ，４ｃにそれぞれ延設され、略長方形に形成されている。略長方形の短寸法は、背面部３の短寸法より幾分小さくし、略長方形の長寸法は、上面部４の一辺の寸法よりも幾分小さくしている。上面部４の側端部４ｃは、外側フラップ６の内側端部６ｂでもあり、かつ外側フラップ６と上面部４との境界線になっている。外側フラップ６は、当該境界線で上面部４とほぼ直交するように下面部２側に折り返され、内側フラップ５に重なり合うものである。
【００２７】
そして、外側フラップ６，６の後端部６ｃ，６ｃおよび前端部６ｄ，６ｄにそれぞれ略台形状の耳部１１および耳部１２が設けられている。耳部１１は、後端部６ｃを境界線として外側フラップ６の内面６ａ側に折り返され、耳部１２は、前端部６ｄを境界線として外側フラップ６の内面６ａ側に折り返されるものである。
【００２８】
前面部７は、下面部２の一方の端部２ｂと反対側の他方の端部２ｄに延設され、長方形に形成されている。長方形の短寸法は、背面部３の短寸法より幾分小さくし、長方形の長寸法は、背面部３の長寸法と同等となるようにしている。下面部２の他方の端部２ｄは、前面部７の一方の端部７ｂでもあり、かつ下面部２と前面部７との境界線になっている。前面部７は、当該境界線で下面部２の内面２ａ側に下面部２とほぼ直交するように折り返され、下面部２および上面部４の前面側開口を塞ぐものである。
【００２９】
係止片８，８は、内側フラップ５，５にそれぞれ設けられている。係止片８，８は、一対の切り込み１３，１３および切り欠き１４により形成されている。すなわち、内側フラップ５の長手方向の中央部において、同一直線上で内側フラップ５の内側端部５ａ(内側フラップ５と下面部２との境界線)に対して平行となるように一対の所定長の切り込み１３，１３が形成され、この切り込み１３，１３の形成範囲において外側端部５ｂから切り込み１３，１３および内側フラップ５と下面部２との境界線の間に略長方形状の切り欠き１４が形成されている。すなわち、切り欠き１４は、一対の切り込み１３，１３に連続するように一対の切り込み１３，１３の間から外側端部５ｂに設けられている。係止片８，８は、切り欠き１４の両側に形成され、切り込み１３，１３の長手方向の中心に対して対称となっている。係止片８，８は、切り込み１３，１３のそれぞれの一端を支点として、不完全ながらも弾性変形可能となっている。
【００３０】
抜け防止用挿入片９，９は、外側フラップ６，６にそれぞれ設けられている。抜け防止用挿入片９，９は、第１の切り溝１５，１５、第２の切り溝１６，１６および第３の切り溝１７，１７により、内側端部６ｂ（外側フラップ６と上面部４との境界線）の反対側の外側端部６ｅが先端となり第１の切り溝１５，１５側が基端となる略長方形状の矢じり形または矢印形に形成されている。すなわち、内側フラップ５の係止片８，８に対応する外側フラップ６の長手方向の中央部において、外側フラップ６の内側端部６ｂに対して平行にかつ内側フラップ５の係止片８，８が挿入可能に同一直線上で非連通した一対の第１の切り溝１５，１５が形成され、この切り込み１５，１５のそれぞれの外側端（一端）に直交するように外側端部６ｅから第２の切り溝１６，１６が形成されている。第２の切り溝１６，１６の互いの間隔は、内側フラップ５の一対の切り込み１３，１３の両端間よりも小さくなるようにしており、第２の切り溝１６，１６は、内側フラップ５の係止片８，８と重なる位置にそれぞれ形成されている。そして、第１の切り溝１５，１５の内側端(他端)から内側端部６ｂ側にそれぞれ外側フラップ６の板厚に相当する長さを有する第３の切り溝１７，１７が形成されている。
【００３１】
そして、第３の切り溝１７，１７の外側フラップ６の内側端部６ｂ側の一端同士を結ぶラインは、折り曲げライン１８となっている。抜け防止用挿入片９は、外側フラップ６が内側フラップ５に重なり合うときに外側フラップ６の内側６ａに折り曲げるものである。そして、内側フラップ５の係止片８，８が第１の切り溝１５，１５に挿入されるようにして、内側フラップ５が外側フラップ６の内側に位置されて、抜け防止用挿入片９の基端側の端面が内側フラップ５の切り込み１３，１３に略位置するものである。抜け防止用挿入片９は、外側フラップ６が内側フラップ５に重なり合わされるときに先端が内側フラップ５の切り込み１３，１３に挿入可能であり、外側フラップ６が内側フラップ５に重なり合ったときに基端側の端面が内側フラップ５の切り込み１３，１３に略位置し、内側フラップ５の内側に収容されるものである。
【００３２】
そして、前面フラップ１０は、前面部７の一方の端部７ｂの反対側の他方の端部７ｃに延設され、略長方形に形成されている。略長方形の短寸法は、前面部７の短寸法より小さくし、略長方形の長寸法は、前面部７の長寸法よりも幾分小さくなるようにしている。前面部７の他方の端部７ｃは、前面フラップ１０の一方の端部１０ａでもあり、かつ前面部７と前面フラップ１０との境界線になっている。前面フラップ１０は、当該境界線で前面部７の内面７ａ側に折り返されて、耳部１２，１２と上面部４との間に差し込まれるものである。
【００３３】
そして、前面フラップ１０には、略長方形状の窓孔１９が設けられている。この窓孔１９から包装箱１に収容されている収容物が確認される。また、上面部４の一方の端部４ｂの他方の端部４ｄ側には、略台形状の切り欠き２０が形成されている。この切り欠き２０は、指掛けであり、前面フラップ１０を引き抜くときに指を掛けて上面部４と耳部１２，１２との間を拡げるようにするものである。
【００３４】
そして、包装箱１は、内側フラップ５，５の内面５ｃ，５ｃ側において、切り込み１３，１３、切り欠き１４の底辺１４ａおよび係止片８，８の内側フラップの外側端部５ｂのそれぞれの縁部が潰されて段差ＤＡが形成され、外側フラップ６の内面６ａ，６ａ側において、第１の切り溝１５，１５、第２の切り溝１６，１６および第３の切り溝１７，１７のそれぞれの縁部が潰されて段差ＤＢが形成されている。段差ＤＡ，ＤＢの部位は、図１中、斜線で示す。段差ＤＡ，ＤＢの部位の板厚ｔ１は、図５に示すように、他の部位の板厚ｔ２の約１／２となっている。
【００３５】
内側フラップ５の切り込み１３，１３および切り欠き１４の底辺１４ａのそれぞれの縁部の板厚ｔ１が小さくなることにより、係止片８，８を内側フラップ５の内側に僅かに変位させるだけで切り込み１３，１３の間隙が大きくなる。これにより、抜け防止用挿入片９を切り込み１３，１３に挿入しやすくなるものである。
【００３６】
そして、外側フラップ６の第１〜第３の切り溝１５，１６，１７のそれぞれの縁部の板厚ｔ１が小さくなることにより、第１および第２の切り溝１５，１６における係止片８，８が挿入される隙間が大きくなる。また、係止片８，８の内側フラップ５の外側端部５ｂの縁部の板厚ｔ１が小さくなることにより、第１および第２の切り溝１５，１６の前記隙間に挿入される係止片８，８の体積が小さくなる。これにより、係止片８，８を第２の切り溝１６から第１の切り溝１５に挿入しやすくなるものである。
【００３７】
なお、前面部７および前面フラップ１０は、上面部４の他方の端部４ｄに延設されてもよい。また、前面部７は、下面部２および上面部４の両方に延設され、前面側開口において重なり合わせるようにしてもよい。
次に、本発明の一実施の形態の作用について述べる。
【００３８】
内側フラップ５，５、外側フラップ６，６、耳部１１，１１、耳部１２，１２、背面部３および上面部４は、順次、上述したように折り返される。そして、外側フラップ６を内側フラップ５に重ね合わせるときに、外側フラップ６の折り曲げライン１８で抜け防止用挿入片９を外側フラップ６の内側に幾分折り曲げ、図２に示すように、抜け防止用挿入片９の先端を内側フラップ５の係止片９，９の外面から切り込み１３，１３に挿入する。そして、係止片８，８を外側フラップ６の第１の切り溝１５，１５の隙間に挿入するようにして、内側フラップ５を外側フラップ６の内側に位置させる。
【００３９】
また、外側フラップ６を内側フラップ５に重ね合わせるときに、図３に示すように、抜け防止用挿入片９を外側フラップ６の内側に大きく折り曲げ、係止片８，８を直接的に外側フラップ６の第１の切り溝１５，１５の隙間に直接的に挿入するようにして、内側フラップ５を外側フラップ６の内側に位置させる。こうして、図４（ａ）に示すように、抜け防止用挿入片９の基端側の端面が内側フラップ５の切り込み１３，１３に略位置して、図４（ｂ）に示すように、抜け防止用挿入片９が内側フラップ５の内側に突出されて、包装箱１が組み立てられる。
【００４０】
この組み立てられた状態において、下面部２および上面部４に拡開の力が作用すると、内側フラップ５および外側フラップ６は、前記拡開方向のそれぞれ反対方向に移動しようとする。このとき、抜け防止用挿入片９の基端側の端面が内側フラップ５の切り込み１３，１３に当接する。そして、切り込み１３，１３の間隙は、抜け防止用挿入片９の基端側の端面の板厚の約１／２以下であるので、抜け防止用挿入片９の基端側は、切り込み１３，１３に引っ掛り、容易に抜けないものである。これにより、内側フラップ５および外側フラップ６の互いの反対方向への移動が阻止され、下面部２および上面部４が拡開しなくなる。すなわち、包装箱１は、組み立てられた状態を保持するものである。
【００４１】
そして、包装箱１を解体するには、抜け防止用挿入片９が設けられた外側フラップ６の周辺部を外側フラップ６の内側方向に押圧して、抜け防止用挿入片９を内側フラップ５から離間させる。そして、係止片８，８を外側フラップ６の第１の切り溝１５，１５から抜くように内側フラップ５および外側フラップ６の少なくとも一方を拡開方向に移動させると、係止片８，８が抜け防止用挿入片９に引っ掛かることなく第１の切り溝１５，１５から抜ける。これにより、下面部２および上面部４が拡開するようになる。
【００４２】
上述したように、外側フラップ６の抜け防止用挿入片９が内側フラップ５の内側となり、内側フラップ５の係止片８，８が外側フラップ６の第１の切り溝１５，１５に挿入されるように内側フラップ５を外側フラップ６の内側に位置させることにより、容易に包装箱１を組み立てることができる。また、抜け防止用挿入片９を内側フラップ５から離して、内側フラップ５内側フラップ５を外側フラップ６の内側から引き抜くことにより、容易に包装箱１を解体することができる。したがって、包装箱１を安価にすることができる。
【００４３】
そして、内側フラップ５および外側フラップ６のそれぞれの内面５ｃ，６ａ側に段差ＤＡ，ＤＢの部位を設けて、外側フラップ６の抜け防止用挿入片９を内側フラップ５の切り込み１３，１３に挿入しやすくし、内側フラップ５の係止片８，８を外側フラップ６の第１の切り溝１５，１５に挿入しやすくしているので、包装箱１の組み立てをより容易にかつ迅速に行うことができて、包装箱１を低コスト化することができる。また、段差ＤＡ、ＤＢの部位が、内側フラップ５および外側フラップ６のそれぞれの内面５ｃ，６ａ側に形成されることにより、包装箱１の外観性が損なわれることを防止することができる。
【００４４】
そして、組み立てられた包装箱１は、収容物として環状蛍光ランプが収容され、前面部７および前面フラップ１０が折り返され、前面フラップ１０が耳部１２，１２と上面部４の内面４ａとの間に挿入される。
【００４５】
そして、抜け防止用挿入片９は、図６に示すように、環状蛍光ランプ２１により内側フラップ５の内面５ｃ側に押圧されるものである。この押圧により、抜け防止用挿入片９は、外側フラップ６を内側フラップ５側に引っ張るように作用するので、内側フラップ５と外側フラップ６が接触するように重なり合うことになり、包装箱１の外観性を良好なものとすることができる。また、抜け防止用挿入片９は、内側フラップ５の切り込み１３，１３に対して傾斜して、切り込み１３，１３からより抜けにくくなるので、環状蛍光ランプ２１が収容されているときに、包装箱１が解体することを防止することができる。
【図面の簡単な説明】
【００４６】
【図１】本発明の一実施の形態を示す包装箱の展開した状態の内面側の平面図。
【図２】同じく、抜け防止用挿入片が挿入される状態を示す包装箱の一部概略斜視図。
【図３】同じく、係止片が挿入される状態を示す包装箱の一部概略斜視図。
【図４】同じく、内側フラップが外側フラップに位置された状態を示し、（ａ）は一部概略側面図、（ｂ）は（ａ）のＸ−Ｘ方向の概略断面図。
【図５】同じく、図１のＹ−Ｙ方向の一部概略断面図。
【図６】同じく、収容物が挿入された状態の概略断面図。
【符号の説明】
【００４７】
１…包装箱
２…下面部
３…背面部
４…上面部
５…内側フラップ
６…外側フラップ
７…前面部
８…係止片
９…抜け防止用挿入片
【図１】
2009220842.tif 000003
【図２】
2009220842.tif 000004
【図３】
2009220842.tif 000005
【図４】
2009220842.tif 000006
【図５】
2009220842.tif 000007
【図６】
2009220842.tif 000008